(57)【要約】【課題】  容易に設置作業を行うことができる採光装置を提供する。【解決手段】  太陽からの光を導入するための採光手段８と、採光手段８からの光をその内面で反射させながら所定方向へ導くための筒状の導光手段１０と、導光手段１０により導かれた光を屋内に照射するための照射手段１２と、を備える。筒状の固定用部材３８は支持フレーム４６の格子状枠部４４に装着され、固定用部材３８の一端部には導光手段１０の出射側端部３６が取り付けられ、その他端部には照射手段１２が取り付けられる。固定用部材３８の外側面には径方向外方に突出する支持用突部６０が設けられ、この支持用突部６０は、格子状枠部４４の支持用受け部５２に支持される。【選択図】  図１
2012119248.tif 000002
【特許請求の範囲】
【請求項１】
複数の格子状枠部を形成する支持フレーム及び前記複数の格子状枠部の各々に配設される複数の天井パネルから構成され、前記格子状枠部の内周部には径方向内方に突出して前記天井パネルの外周部を支持するための支持用受け部が設けられたシステム天井に設置される採光装置であって、
太陽からの光を導入するための採光手段と、前記採光手段からの光をその内面で反射させながら所定方向へ導くための筒状の導光手段と、前記導光手段により導かれた光を屋内に照射するための照射手段と、を備え、
前記照射手段に関連して筒状の固定用部材が設けられ、前記固定用部材の一端部には前記導光手段の出射側端部が取り付けられ、その他端部には前記照射手段が取り付けられ、前記固定用部材の外側面には径方向外方に突出する支持用突部が設けられ、前記固定用部材の前記支持用突部は、前記格子状枠部の前記支持用受け部に支持され、これにより前記固定用部材は前記支持フレームの前記格子状枠部に装着されることを特徴とする採光装置。
【請求項２】
前記固定用部材の内部には屋内を照明するための照明手段が配設され、前記照明手段は、光源と、前記光源を支持するための支持パネルと、を有し、前記支持パネルは、前記固定用部材の内部に着脱自在に取り付けられることを特徴とする請求項１に記載の採光装置。
【請求項３】
前記固定用部材は断面略矩形状に構成され、前記照明手段の前記支持パネルは、前記固定用部材の内部における四隅の各々に着脱自在に取り付けられ、前記照明手段の前記光源は、その光軸が前記照射手段の略中央部を向くようにして傾斜して配設されていることを特徴とする請求項２に記載の採光装置。
【請求項４】
前記固定用部材の他端部には、屋内を照明するための照明手段が設けられ、前記照明手段は、前記照射手段の外周部に配設されていることを特徴とする請求項１に記載の採光装置。
【請求項５】
前記導光手段と前記固定用部材との間には筒状のアダプタ部材が介在されており、前記アダプタ部材の一端部には前記導光手段の出射側端部が取り付けられ、その他端部には前記固定用部材の一端部が取り付けられ、前記アダプタ部材の一端部の外径は、その他端部の外径よりも小さく構成されていることを特徴とする請求項１〜４のいずれかに記載の採光装置。
【請求項６】
太陽からの光を導入するための採光手段と、前記採光手段からの光をその内面で反射させながら所定方向へ導くための筒状の導光手段と、前記導光手段により導かれた光を屋内に照射するための照射手段と、屋内の空気を屋外に排出するための換気手段と、を備え、
前記換気手段は、屋内と屋外とを相互に連通する換気用ダクトを有し、前記導光手段及び前記換気手段に関連して固定用プレートが設けられ、前記固定用プレートは屋内の天井パネルに配設され、前記固定用プレートには、前記導光手段の出射側端部に連通される導光用開口部及び前記換気用ダクトの吸気側端部に連通される換気用開口部が設けられ、前記照射手段は、前記固定用プレートの前記導光用開口部を覆うようにして装着されることを特徴とする採光装置。
【請求項７】
前記導光手段の出射側端部と前記照射手段との間には固定用リングが介在され、前記固定用リングにはネジ受け部が設けられ、前記ネジ受け部の上端部には切り欠き部が設けられ、前記ネジ受け部にはネジ部材が移動自在且つ回転自在に挿通され、前記ネジ部材には、その径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に前記固定用プレートが挟持されることを特徴とする請求項６に記載の採光装置。
【請求項８】
太陽からの光を導入するための採光手段と、前記採光手段からの光をその内面で反射させながら所定方向へ導くための筒状の導光手段と、前記導光手段により導かれた光を屋内に照射するための照射手段と、を備え、
前記導光手段の出射側端部と前記照射手段との間には固定用リングが介在され、前記固定用リングにはネジ受け部が設けられ、前記ネジ受け部の上端部には切り欠き部が設けられ、前記ネジ受け部にはネジ部材が移動自在且つ回転自在に挿通され、前記ネジ部材には、その径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に屋内の天井パネルが挟持されることを特徴とする採光装置。
【請求項９】
前記ネジ受け部の上端部において前記切り欠き部の片側の部位には、前記固定用ナット部材の前記所定部位を逃がすための逃げ用切り欠き部が設けられていることを特徴とする請求項８に記載の採光装置。
【請求項１０】
前記固定用リングは前記導光手段の出射側端部の外周部に取り付けられ、また、前記導光手段に関連して、前記導光手段の出射側端部における開口部を覆うための結露防止用カバー部材が設けられ、前記結露防止用カバー部材の外周部は、前記固定用リングと前記導光手段の出射側端部との間に配設され、前記結露防止用カバー部材の外周部と前記固定用リング又は前記導光手段の出射側端部との間にはシール部材が介在されていることを特徴とする請求項８又は９に記載の採光装置。
【発明の詳細な説明】
【技術分野】
【０００１】
本発明は、太陽からの光を屋内へ導入して屋内を照明するための採光装置に関する。
【背景技術】
【０００２】
近年、省エネルギー化及び環境問題の観点から、自然エネルギー（太陽光）を利用して屋内を照明する採光装置が実用に供されている。この採光装置は、屋根に設けられて太陽からの光を導入する採光手段と、この採光手段からの光をその内面で反射させながら所定方向へ導く筒状の導光手段と、屋内の天井パネルに設けられて導光手段からの光を屋内に照射する照射手段と、を備えている（例えば、特許文献１参照）。
【先行技術文献】
【特許文献】
【０００３】
【特許文献１】特開平１１−３０６８１９号公報
【発明の概要】
【発明が解決しようとする課題】
【０００４】
上述のような従来の採光装置では、次のような問題がある。例えば大規模なオフィスビル等におけるシステム天井（所謂、グリッドシステム天井）では、照明器具の設置台数が非常に多くなる（例えば、数千〜数万台程度）。これに伴って、照明器具にて消費される電力量が大幅に増加し、地球温暖化の原因となる二酸化炭素の排出量が大幅に増加してしまう。このため、システム天井に設置された既存の照明器具を採光装置に置き換えることによって、二酸化炭素の排出量の大幅な削減が期待できる。しかしながら、このようなシステム天井では、断面略逆Ｔ字状の支持バー（所謂、Ｔバー）を格子状に組み合わせることにより、天井パネルを支持するための支持フレームが構成されており、その構造の特殊性から、導光手段の出射側端部及び照射手段を支持フレームに取り付けることが難しい。このため、上述のようなシステム天井に対して採光装置を容易に設置することができないという問題がある。
【０００５】
また、上述した採光装置とともに、屋内の空気を換気するための換気装置を屋内に設置することがある。この換気装置は、例えば、屋内と屋外とを相互に連通する換気用ダクトと、換気用ダクトの吸気側端部に配設された換気用ファンと、を備えている。しかしながら、採光装置の照射手段及び導光手段の出射側端部と、換気装置の換気用ファンとをそれぞれ別個に屋内の天井パネルに設置しなければならず、その設置作業が煩雑になるという問題がある。
【０００６】
また、上述した採光装置では、導光手段の出射側端部と照射手段との間には固定用部材が介在され、この固定用部材をネジ止めにより天井パネルに取り付けることにより、導光手段の出射側端部及び照射手段がそれぞれ天井パネルに固定される。しかしながら、このような固定構造では、天井パネルが例えばベニヤ板等のようにネジ止め用の下地を有するタイプのものである場合には、固定用部材をネジ止めにより天井パネルに固定することができるが、天井パネルが例えばプラスターボード等のようにネジ止め用の下地を有さないタイプのものである場合には、固定用部材をネジ止めにより天井パネルに固定することができない。このため、採光装置の設置作業を容易に行うことができないという問題がある。
【０００７】
本発明の目的は、容易に設置作業を行うことができる採光装置を提供することである。
【課題を解決するための手段】
【０００８】
本発明の請求項１に記載の採光装置では、複数の格子状枠部を形成する支持フレーム及び前記複数の格子状枠部の各々に配設される複数の天井パネルから構成され、前記格子状枠部の内周部には径方向内方に突出して前記天井パネルの外周部を支持するための支持用受け部が設けられたシステム天井に設置される採光装置であって、
太陽からの光を導入するための採光手段と、前記採光手段からの光をその内面で反射させながら所定方向へ導くための筒状の導光手段と、前記導光手段により導かれた光を屋内に照射するための照射手段と、を備え、
前記照射手段に関連して筒状の固定用部材が設けられ、前記固定用部材の一端部には前記導光手段の出射側端部が取り付けられ、その他端部には前記照射手段が取り付けられ、前記固定用部材の外側面には径方向外方に突出する支持用突部が設けられ、前記固定用部材の前記支持用突部は、前記格子状枠部の前記支持用受け部に支持され、これにより前記固定用部材は前記支持フレームの前記格子状枠部に装着されることを特徴とする。
【０００９】
また、本発明の請求項２に記載の採光装置では、前記固定用部材の内部には屋内を照明するための照明手段が配設され、前記照明手段は、光源と、前記光源を支持するための支持パネルと、を有し、前記支持パネルは、前記固定用部材の内部に着脱自在に取り付けられることを特徴とする。
【００１０】
また、本発明の請求項３に記載の採光装置では、前記固定用部材は断面略矩形状に構成され、前記照明手段の前記支持パネルは、前記固定用部材の内部における四隅の各々に着脱自在に取り付けられ、前記照明手段の前記光源は、その光軸が前記照射手段の略中央部を向くようにして傾斜して配設されていることを特徴とする。
【００１１】
また、本発明の請求項４に記載の採光装置では、前記固定用部材の他端部には、屋内を照明するための照明手段が設けられ、前記照明手段は、前記照射手段の外周部に配設されていることを特徴とする。
【００１２】
また、本発明の請求項５に記載の採光装置では、前記導光手段と前記固定用部材との間には筒状のアダプタ部材が介在されており、前記アダプタ部材の一端部には前記導光手段の出射側端部が取り付けられ、その他端部には前記固定用部材の一端部が取り付けられ、前記アダプタ部材の一端部の外径は、その他端部の外径よりも小さく構成されていることを特徴とする。
【００１３】
また、本発明の請求項６に記載の採光装置では、太陽からの光を導入するための採光手段と、前記採光手段からの光をその内面で反射させながら所定方向へ導くための筒状の導光手段と、前記導光手段により導かれた光を屋内に照射するための照射手段と、屋内の空気を屋外に排出するための換気手段と、を備え、
前記換気手段は、屋内と屋外とを相互に連通する換気用ダクトを有し、前記導光手段及び前記換気手段に関連して固定用プレートが設けられ、前記固定用プレートは屋内の天井パネルに配設され、前記固定用プレートには、前記導光手段の出射側端部に連通される導光用開口部及び前記換気用ダクトの吸気側端部に連通される換気用開口部が設けられ、前記照射手段は、前記固定用プレートの前記導光用開口部を覆うようにして装着されることを特徴とする。
【００１４】
また、本発明の請求項７に記載の採光装置では、前記導光手段の出射側端部と前記照射手段との間には固定用リングが介在され、前記固定用リングにはネジ受け部が設けられ、前記ネジ受け部の上端部には切り欠き部が設けられ、前記ネジ受け部にはネジ部材が移動自在且つ回転自在に挿通され、前記ネジ部材には、その径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に前記固定用プレートが挟持されることを特徴とする。
【００１５】
また、本発明の請求項８に記載の採光装置では、太陽からの光を導入するための採光手段と、前記採光手段からの光をその内面で反射させながら所定方向へ導くための筒状の導光手段と、前記導光手段により導かれた光を屋内に照射するための照射手段と、を備え、
前記導光手段の出射側端部と前記照射手段との間には固定用リングが介在され、前記固定用リングにはネジ受け部が設けられ、前記ネジ受け部の上端部には切り欠き部が設けられ、前記ネジ受け部にはネジ部材が移動自在且つ回転自在に挿通され、前記ネジ部材には、その径方向外方に延びる固定用ナット部材が螺着されており、
前記固定用ナット部材の所定部位が前記切り欠き部に収容されると、前記固定用ナット部材の前記固定用リングに対する回転が拘束され、この回転拘束状態で前記ネジ部材を前記固定用ナット部材に対して所定方向に回転させることにより、前記固定用リングと前記固定用ナット部材との間に屋内の天井パネルが挟持されることを特徴とする。
【００１６】
また、本発明の請求項９に記載の採光装置では、前記ネジ受け部の上端部において前記切り欠き部の片側の部位には、前記固定用ナット部材の前記所定部位を逃がすための逃げ用切り欠き部が設けられていることを特徴とする。
【００１７】
また、本発明の請求項１０に記載の採光装置では、前記固定用リングは前記導光手段の出射側端部の外周部に取り付けられ、また、前記導光手段に関連して、前記導光手段の出射側端部における開口部を覆うための結露防止用カバー部材が設けられ、前記結露防止用カバー部材の外周部は、前記固定用リングと前記導光手段の出射側端部との間に配設され、前記結露防止用カバー部材の外周部と前記固定用リング又は前記導光手段の出射側端部との間にはシール部材が介在されていることを特徴とする。
【発明の効果】
【００１８】
本発明の請求項１に記載の採光装置によれば、固定用部材の一端部には導光手段の出射側端部が取り付けられ、その他端部には照射手段が取り付けられている。固定用部材の外側面には径方向外方に突出する支持用突部が設けられ、この支持用突部は、支持フレームの格子状枠部に設けられた支持用受け部に支持される。この格子状枠部の支持用受け部は、システム天井の天井パネルの外周部を支持するためのものであり、このような支持用受け部を利用して、固定用部材を支持フレームの格子状枠部に装着することができる。これにより、導光手段の出射側端部及び照射手段をシステム天井の支持フレームに容易に設置することができ、採光装置の設置作業を容易に行うことができる。
【００１９】
また、本発明の請求項２に記載の採光装置によれば、固定用部材の内部には屋内を照明するための照明手段が配設されているので、例えば夜間のように太陽からの光が十分に得られない場合であっても、照明手段の光源からの光によって屋内を照明することができる。また、照明手段の支持パネルは固定用部材の内部に着脱自在に取り付けられるので、例えば用途等に応じて光源の種類を変更したい場合には、光源（例えばＬＥＤランプ）が支持された支持パネルを固定用部材の内部から取り外した後に、異なる種類の光源（例えば蛍光ランプ）が支持された支持パネルを固定用部材の内部に取り付けることができる。
【００２０】
また、本発明の請求項３に記載の採光装置によれば、照明手段の支持パネルは、固定用部材の内部における四隅の各々に着脱自在に取り付けられているので、導光手段の出射側端部から照射手段に導かれる太陽光が照明手段により遮られるのを抑制することができ、太陽光を効率良く屋内に照射することができる。また、照明手段の光源は、その光軸が照射手段の略中央部を向くようにして傾斜して配設されているので、光源からの光を屋内に向けて効率良く照射することができる。
【００２１】
また、本発明の請求項４に記載の採光装置によれば、固定用部材の他端部には屋内を照明するための照明手段が設けられているので、例えば夜間のように太陽からの光が十分に得られない場合であっても、照明手段からの光によって屋内を照明することができる。また、この照明手段は、照射手段の外周部に配設されているので、導光手段の出射側端部から照射手段に導かれる太陽光が照明手段により遮られるのを抑制することができ、太陽光を効率良く屋内に照射することができる。
【００２２】
また、本発明の請求項５に記載の採光装置によれば、導光手段と固定用部材との間には筒状のアダプタ部材が介在され、アダプタ部材の一端部の外径は、その他端部の外径よりも小さく構成されている。これにより、導光手段の外径が固定用部材の一端部の外径よりも小さい場合には、導光手段の外径に対応するアダプタ部材を用いることによって、導光手段の出射側端部をアダプタ部材を介して固定用部材の一端部に取り付けることができる。
【００２３】
また、本発明の請求項６に記載の採光装置によれば、屋内の天井パネルに配設される固定用プレートには導光用開口部及び換気用開口部が設けられており、導光手段の出射側端部が導光用開口部に連通されるとともに、換気用ダクトの吸気側端部が換気用開口部に連通される。これにより、導光手段の出射側端部及び換気用ダクトの吸気側端部をそれぞれ１つの固定用プレートに接続すればよいので、その設置作業を容易に行うことができる。
【００２４】
また、本発明の請求項７に記載の採光装置によれば、固定用リングのネジ受け部の上端部には切り欠き部が設けられ、ネジ受け部に移動自在且つ回転自在に挿通されたネジ部材には、その径方向外方に延びる固定用ナット部材が螺着されている。採光装置の設置作業時において、導光手段を固定用プレートの導光用開口部に下方より挿入する際に、ネジ部材を回転させて固定用ナット部材を導光手段の外側面に沿わせるようにすることにより、固定用ナット部材の先端部が固定用プレートの下面にぶつかることがなく、導光手段をスムーズに挿入することができる。また、固定用ナット部材の所定部位がネジ受け部の切り欠き部に収容されると、固定用ナット部材の固定用リングに対する回転が拘束され、この回転拘束状態でネジ部材を固定用ナット部材に対して所定方向（締付方向）に回転させることにより、固定用ナット部材が切り欠き部に沿ってネジ受け部に対して移動され、固定用リングと固定用ナット部材との間に固定用プレートが挟持される。これにより、導光手段の出射側端部を固定用プレートの導光用開口部により容易に接続することができる。
【００２５】
また、本発明の請求項８に記載の採光装置によれば、固定用リングのネジ受け部の上端部には切り欠き部が設けられ、ネジ受け部に移動自在且つ回転自在に挿通されたネジ部材には、その径方向外方に延びる固定用ナット部材が螺着されている。採光装置の設置作業時において、導光手段を天井パネルに設けられた天井貫通孔に下方より挿入する際に、ネジ部材を回転させて固定用ナット部材を導光手段の外側面に沿わせるようにすることにより、固定用ナット部材の先端部が天井パネルの下面にぶつかることがなく、導光手段をスムーズに挿入することができる。また、固定用ナット部材の所定部位がネジ受け部の切り欠き部に収容されると、固定用ナット部材の固定用リングに対する回転が拘束され、この回転拘束状態でネジ部材を固定用ナット部材に対して所定方向（締付方向）に回転させることにより、固定用ナット部材が切り欠き部に沿ってネジ受け部に対して移動され、固定用リングと固定用ナット部材との間に天井パネルが挟持される。これにより、導光手段の出射側端部を天井パネルの天井貫通孔により容易に接続することができる。
【００２６】
また、本発明の請求項９に記載の採光装置によれば、ネジ受け部の上端部において切り欠き部の片側の部位には、固定用ナット部材の所定部位を逃がすための逃げ用切り欠き部が設けられている。上述のように固定用ナット部材を導光手段の外側面に沿わせると、固定用ナット部材の上記所定部位は、ネジ受け部の逃げ用切り欠き部に逃がされる。この状態からネジ部材を上記所定方向（締付方向）に回転させると、固定用ナット部材がネジ部材と一体に上記所定方向に回転され、固定用ナット部材の上記所定部位が切り欠き部の一側部に接触される。このように接触されることにより、固定用ナット部材の固定用リングに対する上記所定方向への回転が阻止される。このように回転が阻止された状態でネジ部材を上記所定方向に更に回転させると、固定用ナット部材が切り欠き部に沿ってネジ受け部に対して移動する。従って、固定用ナット部材を導光手段の外側面に沿わせた状態からネジ部材を上記所定方向に回転させることにより、固定用ナット部材を回転許容状態から回転拘束状態へとスムーズに保持させることができる。
【００２７】
また、本発明の請求項１０に記載の採光装置によれば、導光手段の出射側端部における開口部を覆うための結露防止用カバー部材が設けられ、結露防止用カバー部材の外周部と固定用リング又は導光手段の出射側端部との間にはシール部材が介在されている。これにより、導光手段の内部が屋内と密封されるようになるので、屋内の水蒸気を含んだ暖かい空気が導光手段の内部に侵入するのを防止することができる。これにより、例えば冬季において導光手段の表面温度が露点温度よりも低下した場合であっても、導光手段の内部において結露が発生するのを防止することができる。また、虫や塵埃などが、導光手段の出射側端部における開口部を通して屋内に侵入するのを防止することができる。
【図面の簡単な説明】
【００２８】
【図１】本発明の第１の実施形態による採光装置を示す断面図である。
【図２】図１の固定用部材及び導光手段の出射側端部を示す分解斜視図である。
【図３】拡散カバー部材の固定用部材に対する装着機構の変形形態を示す分解斜視図である。
【図４】本発明の第２の実施形態による採光装置の一部を示す断面図である。
【図５】図４の固定用部材及びアダプタ部材を示す分解斜視図である。
【図６】図４の照射手段を屋内側より見上げた状態を示す図である。
【図７】本発明の第３の実施形態による採光装置の照射手段を屋内側より見上げた状態を示す図である。
【図８】本発明の第４の実施形態による採光装置の一部を示す断面図である。
【図９】図８の固定用プレート及びその周辺の構成を示す分解斜視図である。
【図１０】図８の固定用プレートを屋内側より見上げた状態を示す図である。
【図１１】（ａ）は、固定用ナット部材の固定用リングに対する回転が許容された状態を示す斜視図であり、（ｂ）は、固定用ナット部材の固定用リングに対する回転が拘束された状態を示す斜視図である。
【図１２】本発明の第５の実施形態による採光装置の一部を示す断面図である。
【図１３】図１２の導光手段の出射側端部及び照射手段を示す分解斜視図である。
【図１４】本発明の第６の実施形態による採光装置の一部を示す断面図である。
【図１５】（ａ）は、固定用ナット部材の固定用リングに対する回転が許容された状態を示す斜視図であり、（ｂ）は、固定用ナット部材の固定用リングに対する回転が拘束された状態を示す斜視図である。
【発明を実施するための形態】
【００２９】
以下、添付図面を参照して、本発明に従う採光装置の各種実施形態について説明する。
［第１の実施形態］
まず、図１及び図２を参照して、第１の実施形態の採光装置について説明する。図１は、本発明の第１の実施形態による採光装置を示す断面図であり、図２は、図１の固定用部材及び導光手段の出射側端部を示す分解斜視図である。
【００３０】
図１を参照して、図示の採光装置２は、建物４（例えばオフィスビル等）の屋根６に設けられて太陽からの光を導入するための採光手段８と、採光手段８からの光をその内面で反射させながら所定方向に導くための筒状の導光手段１０と、導光手段１０により導かれた光を建物４の内部（屋内）に照射するための照射手段１２と、を備えている。
【００３１】
採光手段８は、取付部材１４及びドーム部材１６を備えている。取付部材１４は、建物４の屋根６に取り付けられるベース部１８と、ベース部１８から上方に延びる円筒状の支持部２０と、を有している。この取付部材１４は、例えばガルバニウムやアルミニウム、銅等の金属又は繊維強化プラスチック（ＦＲＰ）等から形成されている。ドーム部材１６は略半球面状に構成され、例えば透明のアクリルやポリカーボネート等の合成樹脂又は透明のガラス等から形成されている。このドーム部材１６は、複数の取付ネジ２２により支持部２０の開口部を覆うようにして取り付けられる。また、ドーム部材１６の内面には、円弧状に湾曲された集光反射板２４が配設されている。集光反射板２４の凹面側は、太陽からの光を採光するための反射面として機能される。
【００３２】
導光手段１０は、複数の筒状部材２６を上下に連結することにより構成され、建物４の屋根６と屋内のシステム天井２８（後述する）との間の空間３０に配設されている。筒状部材２６は、その一端側の外径が他端側の外径よりも幾分小さいテーパ状に形成されている。筒状部材２６の一端部は、その上側に隣接する筒状部材２６の他端部に所定長さだけ挿入され、上側の筒状部材２６の他端部と下側の筒状部材２６の一端部との継ぎ目には例えばアルミニウムテープ等が貼着されており、これにより両者が相互に連結される。最も上側に配設された筒状部材２６の一端部（即ち、導光手段１０の入射側端部３２）は、建物４の屋根６に設けられた貫通孔３４を通して外部に延び、支持部２０の開口部に取り付けられている。また、最も下側に配設された筒状部材２６の下端部（即ち、導光手段１０の出射側端部３６）は、固定用部材３８（後述する）の一端部に取り付けられている。筒状部材２６の内面には反射面４０が形成され、この反射面４０は、例えばアルミニウムフィルム等の反射材を貼着する、あるいはアルミニウムの蒸着等により構成されている。なお、本実施形態では、筒状部材２６の直径は約６００ｍｍに構成されている。
【００３３】
照射手段１２は、矩形状且つプレート状の拡散カバー部材４２から構成されている。この拡散カバー部材４２は、例えば半透明のアクリルやプラスチック等の合成樹脂又は半透明のガラス等から形成されている。この拡散カバー部材４２は、固定用部材３８を介して屋内のシステム天井２８に配設されている。
【００３４】
ここで、図２をも参照して、システム天井２８及び固定用部材３８の各構成について説明する。このシステム天井２８（所謂、グリッドシステム天井）では、複数の格子状枠部４４を形成する支持フレーム４６が天井スラブ（図示せず）より吊りボルト４８を介して吊り下げられ、各格子状枠部４４には矩形状の天井パネル５０が装着されている。支持フレーム４６は、断面略逆Ｔ字状の複数の支持バー５１（所謂、Ｔバー）を格子状に配設することによって構成されている。支持バー５１の下端部には、水平方向に且つ両側に突出する支持用受け部５２が設けられている。これにより、格子状枠部４４の内周部には、その全周に渡って支持用受け部５２が設けられている。支持用受け部５２は径方向内方に突出して設けられ、この支持用受け部５２には天井パネル５０の外周部が支持される（図１参照）。なお、格子状枠部４４の寸法は、例えば縦６００ｍｍ×横６００ｍｍに構成されている。
【００３５】
固定用部材３８は断面略矩形状の筒状に構成され、その寸法は、格子状枠部４４の寸法に対応して縦６００ｍｍ×横６００ｍｍに構成されている。この固定用部材３８は、例えばアルミニウム等の金属から形成されている。固定用部材３８の一端部には円形状の開口部５４が設けられ、この開口部５４には、上方に幾分突出する円筒状の固定部５６が設けられている。固定部５６の直径は、筒状部材２６の直径に対応した大きさ（即ち、約６００ｍｍ）に構成されている。この固定部５６には、最も下側に配設された筒状部材２６の下端部が取り付けられ、両者の継ぎ目には例えばアルミニウムテープ等が貼着されている。また、固定用部材３８の他端部には矩形状の開口部５８が設けられ、この開口部５８には拡散カバー部材４２が装着されている。固定用部材３８の外側面には、その全周に渡って径方向外方に幾分突出する支持用突部６０が設けられている。この支持用突部６０は、格子状枠部４４の支持用受け部５２に支持され、これにより固定用部材３８が格子状枠部４４に装着される。また、固定用部材３８の内面には反射面６２が形成され、この反射面６２は、例えばアルミニウムフィルム等の反射材を貼着する、あるいはアルミニウムの蒸着等により構成されている。
【００３６】
固定用部材３８の内部における一端部側の四隅にはそれぞれ照明手段６４が配設されている。この照明手段６４は、支持パネル６６と、支持パネル６６に支持されたソケット６８と、ソケット６８に着脱自在に装着された電球型のＬＥＤランプ７０（光源を構成する）と、を有している。支持パネル６６は略逆三角形状に形成され、固定用部材３８の内部における四隅の各々に着脱自在に取り付けられている。各ＬＥＤランプ７０は、その光軸が拡散カバー部材４２の略中央部を向くようにして、水平方向に対して下方に傾斜して配設されている。また、固定用部材３８の外側面には、ＬＥＤランプ７０を点灯制御するためのコントローラ（図示せず）が取り付けられている。コントローラから延びる電力ケーブル（図示せず）は、固定用部材３８に設けられた開口部（図示せず）を通してその内部に導かれ、ＬＥＤランプ７０の端子部（図示せず）に電気的に接続される。コントローラには、屋内配線（図示せず）を介して商用電力が供給される。コントローラから各ＬＥＤランプ７０に点灯電流が供給されることによって、各ＬＥＤランプ７０が点灯される。
【００３７】
本実施形態の採光装置２によって、次のようにして屋内が照明される。ドーム部材１６を通して導入された太陽からの光は、日の出や日の入りのように太陽高度の低いときにはドーム部材１６内に設けられた集光反射板２４の凹面側で反射されて筒状部材２６の内部へと導かれ、また日中のように太陽高度の高いときには支持部２０の開口部より筒状部材２６の内部へと導かれる。このように導かれた光は、各筒状部材２６の内面に形成された反射面４０を乱反射しながら所定方向（即ち、照射手段１２が配設された方向）へと導かれ、最も下側に配設された筒状部材２６の他端部から出射される。更にこの光は、固定用部材３８の内面に形成された反射面６２を乱反射した後に、拡散カバー部材４２を通して屋内に拡散照射される。
【００３８】
また、例えば夜間のように太陽からの光が十分に得られない場合には、コントローラを作動させることによって各ＬＥＤランプ７０を点灯させればよい。これにより、各ＬＥＤランプ７０からの光は、拡散カバー部材４２を通して屋内に拡散照射され、屋内が照明される。なお、本実施形態では、屋内を照明するための照明手段６４の光源を電球型のＬＥＤランプ７０から構成したが、例えば電球型の蛍光ランプ等から構成してもよい。あるいは、照明手段６４を交換可能なユニットとすることにより、ＬＥＤランプ７０が支持された支持パネル６６を固定用部材３８の内部から取り外し、例えば蛍光ランプが支持された支持パネルを固定用部材３８の内部に取り付けることができる。これにより、照明手段６４の光源の種類を用途等に応じて適宜変更することができる。このような照明手段６４の交換作業は、例えば拡散カバー部材４２を固定用部材３８の他端部から取り外すことにより、屋内側から容易に行うことができる。
【００３９】
なお、拡散カバー部材４２の固定用部材３８に対する装着機構は、例えば図３に示すような形態のものから構成することができる。図３において、拡散カバー部材４２’は、矩形状の拡散板５９と、拡散板５９の外周部に取り付けられた枠部材６１と、を有している。枠部材６１の相互に対向する両側部における上面にはそれぞれ、固定用金具６３が設けられている。各固定用金具６３は、略Ｖ字状に延びる一対のスプリング部材６５を有し、これら一対のスプリング部材６５は、相互に離隔する方向に弾性的に偏倚されている。また、固定用部材３８’の開口部５８’には、径方向外方に延びる矩形状の装着用枠部６７が設けられ、この装着用枠部６７には、一対の固定用金具６３に対応して一対の固定用孔６９が設けられている。拡散カバー部材４２’を固定用部材３８’の開口部５８’に装着する際には、一対のスプリング部材６５をその弾性偏倚力に抗して相互に近接させた状態で、装着用枠部６７の固定用孔６９に下方より挿通させる。このように挿通させると、一対のスプリング部材６５が相互に離隔する方向に弾性的に偏倚され、一対のスプリング部材６５が固定用孔６９の上側に引っ掛かるようになる。このようにして、拡散カバー部材４２’が固定用部材３８’の開口部５８’に装着される。また、一対のスプリング部材６５の弾性偏倚力によって、拡散カバー部材４２’の枠部材６１が固定用部材３８’の装着用枠部６７に押圧され、両者が相互に密着される。これにより、虫が拡散カバー部材４２’の枠部材６１と固定用部材３８’の装着用枠部６７との間を通して屋内に侵入するのを防止することができる。
［第２の実施形態］
次に、図４〜図６を参照して、第２の実施形態の採光装置について説明する。図４は、本発明の第２の実施形態による採光装置の一部を示す断面図であり、図５は、図４の固定用部材及びアダプタ部材を示す分解斜視図であり、図６は、図４の照射手段を屋内側より見上げた状態を示す図である。なお、以下に示す各実施形態において、上記第１の実施形態と実質上同一の構成要素には同一の符号を付し、その説明を省略する。
【００４０】
図４及び図５において、本実施形態の採光装置２Ａでは、支持用突部６０Ａは、固定用部材３８Ａの対向する一対の側部の各外側面に２つずつ設けられている。また、導光手段１０Ａの出射側端部３６Ａと固定用部材３８Ａとの間には、断面円形状のアダプタ部材７２が介在されている。このアダプタ部材７２の一端部における開口部７４の直径Ｄ１は、その他端部における開口部７６の直径Ｄ２よりも小さく構成されている。本実施形態では、筒状部材２６Ａの直径は約３５０ｍｍに構成され、上記第１の実施形態の筒状部材２６の直径よりも小さく構成されている。アダプタ部材７２の一端部における開口部７４の直径Ｄ１は、本実施形態の筒状部材２６Ａの直径に対応した大きさに構成されている。アダプタ部材７２の一端部には、最も下側に配設された筒状部材２６Ａの他端部が取り付けられ、その他端部には、固定用部材３８Ａの固定部５６が取り付けられている。
【００４１】
このように、筒状部材２６Ａの直径が固定用部材３８Ａの固定部５６の直径よりも小さい場合には、筒状部材２６Ａの直径に対応するアダプタ部材７２を固定用部材３８Ａの固定部５６に取り付けることによって、筒状部材２６Ａの他端部をアダプタ部材７２を介して固定用部材３８Ａの固定部５６に取り付けることができる。例えば、筒状部材２６Ａの直径が約３５０ｍｍであるときには、この直径に対応するアダプタ部材７２を固定用部材３８Ａの固定部５６に取り付ければよく、また、筒状部材２６Ａの直径が約２５０ｍｍであるときには、この直径に対応する別のアダプタ部材を固定用部材３８Ａの固定部５６に取り付ければよい。
【００４２】
また、固定用部材３８Ａの他端部には、屋内を照明するための照明手段７８が配設されている。この照明手段７８は、ロの字状に形成され且つ下面が開口されたケーシング８０と、ケーシング８０の内部に支持された取付基板８２と、取付基板８２の片面に実装されたチップ型の複数のＬＥＤ８４と、を有している（図４及び図６参照）。ケーシング８０は、複数のＬＥＤ８４が屋内側を向くようにして、固定用部材３８Ａの他端部における外周部にその全周に渡って配設されている。また、取付基板８２の片面には、屋内の照度を検知するための照度センサ（図示せず）が設けられている。拡散カバー部材４２は、この照明手段７８を覆うようにして固定用部材３８Ａの他端部に取り付けられている。これにより、照明手段７８は、拡散カバー部材４２の外周部にその全周に渡って配設されるようになる。上記第１の実施形態と同様に、固定用部材３８Ａの外側面には、各ＬＥＤ８４を点灯制御するためのコントローラ（図示せず）が取り付けられている。このコントローラは、照度センサの検知照度が所定値よりも低下すると作動され、照度センサの検知照度が上記所定値を超えると作動停止される。
【００４３】
これにより、例えば夜間のように太陽からの光が十分に得られない場合には、照度センサの検知照度が上記所定値よりも低下することによってコントローラが作動され、各ＬＥＤ８４が点灯される。各ＬＥＤ８４からの光は、拡散カバー部材４２を通して屋内に拡散照射され、屋内が照明される。
［第３の実施形態］
次に、図７を参照して、第３の実施形態の採光装置について説明する。図７は、本発明の第３の実施形態による採光装置の照射手段を屋内側より見上げた状態を示す図である。
【００４４】
本実施形態の採光装置２Ｂでは、上記第２の実施形態と同様に、固定用部材３８の他端部には、屋内を照明するための照明手段７８Ｂが配設されている。この照明手段７８Ｂは、横長に形成され且つ下面が開口されたケーシング８０Ｂと、ケーシング８０Ｂの内部に支持された取付基板８２Ｂと、取付基板８２Ｂの片面に実装されたチップ型の複数のＬＥＤ８４と、を有している。ケーシング８０Ｂは、複数のＬＥＤ８４が屋内側を向くようにして、固定用部材３８の他端部における外周部の両側に配設されている。これにより、照明手段７８Ｂは、拡散カバー部材４２の外周部の両側に配設されるようになる。従って、本実施形態においても、上記第２の実施形態と同様の作用効果が達成される。
［第４の実施形態］
次に、図８〜図１１を参照して、第４の実施形態の採光装置について説明する。図８は、本発明の第４の実施形態による採光装置の一部を示す断面図であり、図９は、図８の固定用プレート及びその周辺の構成を示す分解斜視図であり、図１０は、図８の固定用プレートを屋内側より見上げた状態を示す図であり、図１１（ａ）は、固定用ナット部材の固定用リングに対する回転が許容された状態を示す斜視図であり、図１１（ｂ）は、固定用ナット部材の固定用リングに対する回転が拘束された状態を示す斜視図である。
【００４５】
本実施形態の採光装置２Ｃでは、屋内の空気を外部に排出するための換気手段８６が設けられている。この換気手段８６は、屋内と屋外とを連通する蛇腹状の換気用ダクト８８と、換気用ダクト８８の所定部位に配設された換気用ファン９０と、を有している。換気用ダクト８８は、建物の屋根（図示せず）と天井パネル９２との間の空間３０に配設されている。換気用ダクト８８の排気側端部（図示せず）は、例えば建物の屋根に設けられた排気口（図示せず）に接続され、その吸気側端部９４は、固定用プレート９６（後述する）の換気用接続部９８に接続されている。換気用ファン９０は、建物の屋根と天井パネル９２との間の空間３０に配設された柱部材（図示せず）に固定支持されている。
【００４６】
次に、上述した固定用プレート９６の構成について説明する。固定用プレート９６は長円形状に形成され、その外周部には複数の挿通孔１００が設けられている。取付ネジ１０２を挿通孔１００を通して天井パネル９２の下面に螺着することにより、固定用プレート９６が天井パネル９２の下面に取り付けられる。この固定用プレート９２が取り付けられる天井パネル９２の部位には、長円形状の天井貫通孔１０４が設けられている。固定用プレート９６には、円形状の導光用開口部１０６及び略弓状の換気用開口部１０８が間隔を置いて設けられている。固定用プレート９６の上面には、導光用開口部１０６から上方に幾分突出する円筒状の導光用接続部１１０と、換気用開口部１０８から上方にテーパ状に延びる換気用接続部９８とが設けられている。この換気用接続部９８には、換気用ダクト８８の吸気側端部９４が接続されている。また、固定用プレート９６の換気用開口部１０８には、複数の吸気口１１２を有する吸気カバー部材１１４が装着されている。
【００４７】
また、導光手段１０Ｃの出射側端部３６Ｃは、固定用リング１１６を介して固定用プレート９６の導光用接続部１１０に接続されている。この固定用リング１１６は、円形状のリング部１１８と、リング部１１８の内周部から上方に延びる円筒状の取付部１２０と、を有している。取付部１２０の内周面には、複数の突起部１２２が周方向に間隔を置いて設けられている。これら複数の突起部１２２に対応して、最も下側に配設された筒状部材２６Ｃの他端部には、複数の取付孔１２４が周方向に間隔を置いて設けられている。取付部１２０の突起部１２２が筒状部材２６Ｃの取付孔１２４に挿入されることによって、固定用リング１１６が筒状部材２６Ｃの他端部における外周部に取り付けられる。
【００４８】
取付部１２０の外周面には、複数のネジ受け部１２６が周方向に間隔を置いて設けられている。ネジ受け部１２６は略円筒状に形成され、その内部には上下に延びて固定用リング１１６を貫通する貫通孔１２８が形成されている（図１１参照）。ネジ受け部１２６の上端部（即ち、貫通孔１２８の上端部）には、その上端から下方に延びる切り欠き部１３０が設けられている。ネジ受け部１２６の貫通孔１２８には、ネジ部材１３２が上下動自在且つ回転自在に挿通されている。ネジ部材１３２の頭部１３４は、貫通孔１２８を通してリング部１１８の下方に突出されている。また、ネジ部材１３２の先端部には、その径方向外方に延びる固定用ナット部材１３６が螺着されている。固定用ナット部材１３６は例えば合成樹脂等から形成され、その基端部には、ネジ部材１３２が螺着されるネジ孔１３８が設けられている。
【００４９】
ネジ部材１３２をネジ受け部１２６に対して上方に移動させると、固定用ナット部材１３６の基端部がネジ受け部１２６の切り欠き部１３０の外部に配設される（図１１（ａ）参照）。これにより、固定用ナット部材１３６の固定用リング１１６に対する回転が許容される回転許容状態となる。また、ネジ部材１３２をネジ受け部１２６に対して下方に移動させると、固定用ナット部材１３６の基端部がネジ受け部１２６の切り欠き部１３０に収容される（図１１（ｂ）参照）。これにより、固定用ナット部材１３６の固定用リング１１６に対する回転が拘束される回転拘束状態となる。この回転拘束状態では、固定用ナット部材１３６の先端部は、固定用リング１１６の径方向外方に向けて延びるようになる。
【００５０】
後述するようにして、固定用リング１１６のリング部１１８と固定用ナット部材１３６の先端部との間に固定用プレート９６及び天井パネル９２が挟持されることにより、導光手段１０Ｃの出射側端部３６Ｃが固定用プレート９６の導光用接続部１１０に接続されている。また、固定用リング１１６のリング部１１８には、固定用プレート９６の導光用開口部１０６を覆うようにして略半球状の拡散カバー部材４２Ｃが装着されている。
【００５１】
次に、上述した固定用プレート９６に導光手段１０Ｃの出射側端部３６Ｃ及び換気用ダクト８８の吸気側端部９４をそれぞれ接続する方法について説明する。まず、ホールソー等を用いて天井パネル９２の所定部位に長円形状の天井貫通孔１０４を穿設し、この天井貫通孔１０４と導光用開口部１０６及び換気用開口部１０８とが連通されるようにして、固定用プレート９６を天井パネル９２の下面に取付ネジ１０２により取り付ける。その後、換気用ダクト８８の吸気側端部９４を換気用接続部９８に接続し、吸気カバー部材１１４を換気用開口部１０８に装着する。
【００５２】
また、筒状部材２６Ｃをその一端部側から導光用開口部１０６に下方より挿入する。このとき、回転許容状態にてネジ部材１３２を図１１（ａ）の矢印Ｐで示す方向に回転させ、固定用ナット部材１３６を筒状部材２６Ｃの外側面に沿わせるようにする。これにより、筒状部材２６Ｃを導光用開口部１０６に挿入する際に、固定用ナット部材１３６の先端部が固定用プレート９６の下面にぶつかることがなく、筒状部材２６Ｃをスムーズに挿入することができる。その後、ネジ部材１３２を図１１（ａ）の矢印Ｑで示す方向に回転させた後にネジ受け部１２６に対して下方に移動させ、固定用ナット部材１３６の基端部をネジ受け部１２６の切り欠き部１３０に収容させる。この回転拘束状態でネジ部材１２６を締付方向（図１１（ｂ）の矢印Ｒで示す方向）に回転させると、ネジ部材１２６が固定用ナット部材１３６のネジ孔１３８に螺着されながらネジ受け部１２６に対して上方に移動し、これに伴って固定用ナット部材１３６が切り欠き部１３０に沿ってネジ受け部１２６に対して下方に移動する。これにより、固定用ナット部材１３６の先端部が固定用リング１１６の導光用接続部１１０の上端部を下方に押圧し、固定用リング１１６のリング部１１８と固定用ナット部材１３６の先端部との間に固定用プレート９６が挟持され（図８参照）、導光手段１０Ｃの出射側端部３６Ｃが固定用プレート９６の導光用接続部１１０に接続される。その後、固定用リング１１６のリング部１１８に拡散カバー部材４２Ｃを装着する。
【００５３】
本実施形態の採光装置２Ｃでは、次のようにして換気手段８６による屋内の換気が行われる。換気用ファン９０が作動すると、屋内の空気は、吸気カバー部材１１４の吸気口１１２を通して換気用接続部９８の内部に流入される。この流入された空気は、換気用ダクト８８内を流れて排気口より外部に排出される。従って、本実施形態の採光装置２Ｃでは、太陽光を利用して屋内を照明することができるとともに、屋内の空気を外部に排出して換気することができる。
【００５４】
なお、本実施形態の固定用プレート９６は、例えばシステム天井の天井パネルや、システム天井以外の一般の天井の天井パネル等に取り付けることができる。また、本実施形態では、換気用ファン９０を柱部材に固定支持するように構成したが、例えば天井パネル９２の上面（裏面）に固定支持するように構成してもよい。また、本実施形態の換気用ダクト８８は、建物の屋根から天井パネル９２まで延びる１本のダクトから構成したが、例えば天井パネル９２の複数箇所に固定用プレート９６が取り付けられる場合には、換気用ダクト８８の排気側を１本の排気側端部から構成し、その吸気側を複数本に分岐された吸気側端部から構成してもよい。かかる場合には、分岐された各吸気側端部はそれぞれ、対応する固定用プレート９６の換気用接続部９８に接続される。また、換気用ファン９０は、例えば複数本の吸気側端部の合流部に配設される。
［第５の実施形態］
次に、図１２及び図１３を参照して、第５の実施形態の採光装置について説明する。図１２は、本発明の第５の実施形態による採光装置の一部を示す断面図であり、図１３は、図１２の導光手段の出射側端部及び照射手段を示す分解斜視図である。
【００５５】
本実施形態の採光装置２Ｄでは、導光手段１０Ｃの出射側端部３６Ｃに固定用リング１１６が取り付けられ、この固定用リング１１６は、上記第４の実施形態と同様に構成されている。この固定用リング１１６によって、導光手段１０Ｃの出射側端部３６Ｃを次のようにして天井パネル９２に固定することができる。まず、ホールソー等を用いて天井パネル９２の所定部位に円形状の天井貫通孔１０４Ｄを穿設し、筒状部材２６Ｃをその一端部側から天井貫通孔１０４Ｄに下方より挿入する。このとき、回転許容状態にてネジ部材１３２を所定方向に回転させ、固定用ナット部材１３６を筒状部材２６Ｃの外側面に沿わせるようにする。これにより、筒状部材２６Ｃを天井貫通孔１０４に挿入する際に、固定用ナット部材１３６の先端部が天井パネル９２の下面にぶつかることがなく、筒状部材２６Ｃをスムーズに挿入することができる。
【００５６】
そして、ネジ部材１３２を上記所定方向と反対方向に回転させた後にネジ受け部１２６に対して下方に移動させ、固定用ナット部材１３６の基端部をネジ受け部１３２の切り欠き部１３０に収容させる。この回転拘束状態でネジ部材１３２を締付方向に回転させると、ネジ部材１２６が固定用ナット部材１３６のネジ孔１３８に螺着されながらネジ受け部１２６に対して上方に移動し、これに伴って固定用ナット部材１３６が切り欠き部１３０に沿ってネジ受け部１２６に対して下方に移動する。これにより、固定用ナット部材１３６の先端部が天井パネル９２の上面を下方に押圧し、固定用リング１１６のリング部１１８と固定用ナット部材１３６の先端部との間に天井パネル９２が挟持され（図１２参照）、導光手段１０Ｃの出射側端部３６Ｃが天井パネル９２に固定される。その後、固定用リング１１６のリング部１１８に拡散カバー部材４２Ｃを装着する。
［第６の実施形態］
次に、図１４及び図１５を参照して、第６の実施形態の採光装置について説明する。図１４は、本発明の第６の実施形態による採光装置の一部を示す断面図であり、図１５（ａ）は、固定用ナット部材の固定用リングに対する回転が許容された状態を示す斜視図であり、図１５（ｂ）は、固定用ナット部材の固定用リングに対する回転が拘束された状態を示す斜視図である。
【００５７】
本実施形態の採光装置２Ｅでは、導光手段１０Ｃの出射側端部３６Ｃにおける開口部を覆うための結露防止用カバー部材１４０が設けられている（図１４参照）。結露防止用カバー部材１４０は略円盤状に形成され、その直径は、導光手段１０Ｃの筒状部材２６Ｃの直径に対応した大きさに構成されている。この結露防止用カバー部材１４０は、例えば透明のアクリル等から形成される。結露防止用カバー部材１４０の外周部には円筒状の装着部１４２が設けられ、装着部１４２の外周面には、その全周に渡ってシール部材１４４が貼着されている。このシール部材１４４は例えば弾性変形可能なゴム材等から形成される。結露防止用カバー部材１４０は、導光手段１０Ｃの出射側端部３６Ｃにおける開口部を覆うようにして取り付けられ、その装着部１４２は、固定用リング１１６Ｅの取付部１２０Ｅと導光手段１０Ｃの出射側端部３６Ｃとの間の隙間に配設される。これにより、結露防止用カバー部材１４０の装着部１４２と固定用リング１１６Ｅの取付部１２０Ｅとの間にシール部材１４４が介在されるようになる。なお、シール部材１４４を装着部１４２の内周面の全周に渡って貼着し、結露防止用カバー部材１４０の装着部１４２と導光手段１０Ｃの出射側端部３６Ｃとの間にシール部材１４４が介在されるように構成してもよい。
【００５８】
また、固定用リング１１６Ｅの取付部１２０Ｅの内周面には、その全周に渡ってシール部材１４８が貼着されている。このシール部材１４８は例えば弾性変形可能なゴム材等から形成され、固定用リング１１６Ｅの取付部１２０Ｅと導光手段１０Ｃの出射側端部３６Ｃとの間に介在されている。なお、このシール部材１４８は省略するようにしてもよい。
【００５９】
このように構成することにより、導光手段１０Ｃの内部が屋内と密封されるようになるので、屋内の水蒸気を含んだ暖かい空気が導光手段１０Ｃの内部に侵入することがなく、導光手段１０Ｃの内部において結露が発生するのを防止することができる。また、虫や塵埃などが、導光手段１０Ｃの出射側端部３６Ｃにおける開口部を通して屋内に侵入するのを防止することができる。
【００６０】
また、固定用リング１１６Ｅのネジ受け部１２６Ｅの上端部の一部（即ち、切り欠き部１３０Ｅの片側の部位）には、固定用ナット部材１３６Ｅの基端部を逃がすための逃げ用切り欠き部１４６が形成されている（図１５参照）。これにより、切り欠き部１３０Ｅの片側におけるネジ受け部１２６Ｅの上端部は、切り欠き部１３０Ｅの他側におけるネジ受け部１２６Ｅの上端部よりも低く構成されている。
【００６１】
ネジ部材１３２をネジ受け部１２６Ｅに対して上方に移動させると、固定用ナット部材１３６Ｅの基端部は、ネジ受け部１２６Ｅの切り欠き部１３０Ｅの外部に配設される（図１５（ａ）参照）。これにより、固定用ナット部材１３６Ｅの固定用リング１１６Ｅに対する回転が許容される回転許容状態となる。固定用ナット部材１３６Ｅを筒状部材２６Ｃの外側面に沿わせると、固定用ナット部材１３６Ｅの基端部は、ネジ受け部１２６Ｅの逃げ用切り欠き部１４６に逃がされる。この状態からネジ部材１３２を締付方向に回転させると、固定用ナット部材１３６Ｅがネジ部材１３２と一体に上記締付方向に回転され、図１５（ａ）において二点鎖線で示すように、固定用ナット部材１３６Ｅの基端部が切り欠き部１３０Ｅの一側部に接触される。このように接触されると、固定用ナット部材１３６Ｅの固定用リング１１６Ｅに対する上記締付方向への回転が阻止される。この状態でネジ部材１３２を上記締付方向に更に回転させると、ネジ部材１２６が固定用ナット部材１３６Ｅのネジ孔１３８に螺着されながらネジ受け部１２６Ｅに対して上方に移動し、これに伴って固定用ナット部材１３６Ｅが切り欠き部１３０Ｅに沿ってネジ受け部１２６Ｅに対して下方に移動する。これにより、固定用ナット部材１３６Ｅの固定用リング１１６Ｅに対する回転が拘束される回転拘束状態となる（図１５（ｂ）参照）。
【００６２】
従って、固定用ナット部材１３６Ｅを筒状部材２６Ｃの外側面に沿わせた状態からネジ部材１３２を上記締付方向に回転させることにより、固定用ナット部材１３６Ｅを回転許容状態から回転拘束状態へとスムーズに保持させることができる。
【００６３】
以上、本発明に従う採光装置の各種実施形態について説明したが、本発明はかかる実施形態に限定されるものではなく、本発明の範囲を逸脱することなく種々の変形乃至修正が可能である。
【００６４】
例えば、上記第１〜第３の実施形態では、屋内を照明するための照明手段６４，７８，７８Ｂを設けるように構成したが、この照明手段６４，７８，７８Ｂを省略するように構成してもよい。
【符号の説明】
【００６５】
２，２Ａ〜２Ｅ  採光装置
８  採光手段
１０，１０Ａ，１０Ｃ  導光手段
１２，１２Ｃ  照射手段
２８  システム天井
３８，３８Ａ  固定用部材
４４  格子状枠部
４６  支持フレーム
５０  天井パネル
５２  支持用受け部
６０，６０Ａ  支持用突部
６４  照明手段
６６  支持パネル
７０  ＬＥＤランプ
７２  アダプタ部材
７８，７８Ｂ  照明手段
８６  換気手段
８８  換気用ダクト
９６  固定用プレート
１０６  導光用開口部
１０８  換気用開口部
１１６，１１６Ｅ  固定用リング
１２６，１２６Ｅ  ネジ受け部
１３０，１３０Ｅ  切り欠き部
１３２  ネジ部材
１３６，１３６Ｅ  固定用ナット部材
【図１】
2012119248.tif 000003
【図２】
2012119248.tif 000004
【図３】
2012119248.tif 000005
【図４】
2012119248.tif 000006
【図５】
2012119248.tif 000007
【図６】
2012119248.tif 000008
【図７】
2012119248.tif 000009
【図８】
2012119248.tif 000010
【図９】
2012119248.tif 000011
【図１０】
2012119248.tif 000012
【図１１】
2012119248.tif 000013
【図１２】
2012119248.tif 000014
【図１３】
2012119248.tif 000015
【図１４】
2012119248.tif 000016
【図１５】
2012119248.tif 000017